(57)【特許請求の範囲】
【請求項１】
可撓性を備えたシート部と、
前記シート部と該シート部を設置する設置面との間に設けられ、該シート部と設置面との離間距離が５０ｃｍ以下となるよう、設置面から離間した状態の該シート部を保持する保持部と
を有し、
前記シート部は、網材であり、網目における対向する位置にねじり部分を配置され、
前記保持部は、中実又は中空の棒状であり、
前記シート部は、該シート部における縦目方向と、前記保持部の軸方向とが同じ方向となるよう配置されている
動物侵入防止装置。
【請求項２】
前記シート部は、メッシュ状に形成されたシートであり、少なくとも一部の穴の大きさが動物の脚が入り込む大きさに形成されている
請求項１に記載の動物侵入防止装置。
【請求項３】
前記シート部は、六角形形状の網目を備えた網材である
請求項２に記載の動物侵入防止装置。
【請求項４】
前記保持部は、前記シート部と設置面との離間距離が動物の脚の長さより長くなる位置に、該シート部を保持している
請求項３に記載の動物侵入防止装置。
【請求項５】
前記シート部の少なくとも一部の周縁部分に連続して設けられた周縁部
をさらに有し、
前記周縁部は、前記保持部に保持された前記シート部から連続して設置面に敷設されている
請求項４に記載の動物侵入防止装置。
【請求項６】
前記保持部は、前記シート部の周縁領域のうち対向する位置にそれぞれ設けられ、
対向する位置に配置された前記保持部は、互いに異なる太さであり、前記シート部を張った状態で保持している
請求項３に記載の動物侵入防止装置。
【請求項７】
前記保持部は、前記シート部の中央領域に設けられ、
前記シート部は、該シート部における横目方向と、棒状の前記前記保持部の軸方向とが同じ方向となるよう配置されている
請求項３に記載の動物侵入防止装置。
【請求項８】
六角形形状の網目を備えた網材における横目方向と、棒状の保持部の軸方向とが同じ方向となるよう、該網材の中央領域に、該網材を設置面から離間させて保持する保持部を配置し、該網材の縦目方向における一方の端部を設置面に配置し、他方の端部を設置面に対して傾斜する面に配置する工程と、
前記保持部に保持された前記網材を撓ませた状態で、該網材と該保持部とを設置面に固定する工程と
を有する動物侵入防止装置の施工方法。
【発明の詳細な説明】
【技術分野】
【０００１】
本発明は、動物侵入防止装置、及び、動物侵入防止装置の施工方法に関するものである。
【背景技術】
【０００２】
例えば、特許文献１には、複数の縦フレーム部と、当該縦フレーム部間に設置される横フレームと、前記縦フレーム部に設置される弾性部材と、当該弾性部材により上下動するとともに、捕獲野生動物の脚が通り且つ胴体が通らない目開き寸法の網状もしくは格子状の捕獲部と、当該捕獲部を地表面に近い待機位置に保持する保持手段と、捕獲野生動物が捕獲部上にいることを検知して前記保持手段を解除する検知手段と、を有し、前記保持手段が解除され捕獲部が上昇し捕獲野生動物の脚が捕獲部に落ち込むことにより捕獲野生動物を捕獲することを特徴とする動物捕獲用罠が開示されている。
また、特許文献２には、動物捕獲用の檻に設置し、捕獲した動物の動きを拘束する捕獲動物拘束装置において、ロープを編んで作製されることで柔軟性を備え、捕獲しようとする動物の脚が入り込む網目を有する網と、前記檻の内部の底面に載置され、前記網の周囲を固定する可動枠と、前記可動枠を前記檻の天井柵に向かって上昇させる引き上げ機構と、前記可動枠と前記引き上げ機構とを接続する接続部と、前記引き上げ機構により前記可動枠を上昇させるとき、前記可動枠及び前記接続部が前記檻の側柵に干渉しないよう案内する案内機構と、を備えることを特徴とする捕獲動物拘束装置が開示されている。
【０００３】
また、特許文献３には、動物による食害を防止するための網であって、動物が網を咥えた際に口腔内でガルバニ電流を発生させるために、標準電極電位に差がある２種類以上の金属の部分を具備していることを特徴とする動物による食害防止用の網が開示されている。
【先行技術文献】
【特許文献】
【０００４】
【特許文献１】特開２０１１−２５０７１８号公報
【特許文献２】実用新案登録第３１９００８１号公報
【特許文献３】特開２０１０−４７７７号公報
【発明の概要】
【発明が解決しようとする課題】
【０００５】
本発明は、低コストに製作でき、かつ、効率的に動物の侵入を防止する動物侵入防止装置を提供することを目的とする。
【課題を解決するための手段】
【０００６】
本発明に係る動物侵入防止装置は、可撓性を備えたシート部と、前記シート部と、該シート部を設置する設置面との間に設けられ、該シート部を設置面から５０ｃｍ以下の位置で離間させて保持する保持部とを有する。
【０００７】
好適には、前記シート部は、メッシュ状に形成されたシートであり、少なくとも一部の穴の大きさが動物の脚が入り込む大きさに形成されている。
【０００８】
好適には、前記シート部は、六角形形状の網目を備えた網材である。
【０００９】
好適には、前記保持部は、前記シート部と設置面との離間距離が動物の脚の長さより長くなる位置に、該シート部を保持している。
【００１０】
好適には、前記シート部の少なくとも一部の周縁部分に連続して設けられた周縁部をさらに有し、前記周縁部は、前記保持部に保持された前記シート部から連続して設置面に敷設されている。
【００１１】
好適には、前記保持部は、棒状であり、前記シート部の周縁領域のうち対向する位置にそれぞれ設けられ、対向する位置に配置された前記保持部は、互いに異なる太さであり、前記シート部を張った状態で保持し、前記シート部は、該シート部における縦目方向と、棒状の前記保持部の軸方向とが同じ方向となるよう配置されている。
【００１２】
好適には、前記保持部は、前記シート部の中央領域に設けられ、前記シート部は、該シート部における横目方向と、棒状の前記前記保持部の軸方向とが同じ方向となるよう配置されている。
【００１３】
本発明に係る動物侵入防止装置の施工方法は、六角形形状の網目を備えた網材における横目方向と、棒状の保持部の軸方向とが同じ方向となるよう、該網材の中央領域に、該網材を設置面から離間させて保持する保持部を配置し、該網材の縦目方向における一方の端部を設置面に配置し、他方の端部を設置面に対して傾斜する面に配置する工程と、前記保持部に保持された前記網材を撓ませた状態で、該網材と該保持部とを設置面に固定する工程とを有する。
【発明の効果】
【００１４】
本発明によれば、低コストに製作でき、かつ、効率的に動物の侵入を防止することができる。
【図面の簡単な説明】
【００１５】
【図１】本実施例に係る動物侵入防止装置１の構成を説明する図である。
【図２】本実施例に係る網材３０の網目形状を説明する図である。
【図３】その他の網材３０の網目形状を例示する図である。
【図４】本実施例に係る動物侵入防止装置１の設置方法を説明する図である。
【図５】本実施例に係る動物侵入防止装置１における動物の侵入時における作用を説明する図である。
【図６】本実施例に係る動物侵入防止装置１の変形例１を説明する図である。
【図７】変形例１における網材３０の網目方向を変更した動物侵入防止装置１を説明する図である。
【図８】本実施例に係る動物侵入防止装置１の変形例２を説明する図である。
【図９】本実施例に係る動物侵入防止装置１の変形例３を説明する図である。
【図１０】本実施例に係る動物侵入防止装置１の変形例４を説明する図である。
【発明を実施するための形態】
【００１６】
以下、本発明に係る実施形態の構成を、図面を参照して説明する。ただし、本発明の範囲は、図示例に限定されるものではない。
【００１７】
まず、本実施例の動物侵入防止装置１の構成を説明する。
図１は、本実施例に係る動物侵入防止装置１の構成を説明する図である。
図１に例示するように、動物侵入防止装置１は、第１保持部材１０、第２保持部材１２、固定杭２０、及び、網材３０を含んで構成されている。動物侵入防止装置１は、例えば、野生動物１２０による農作物被害を防ぐため、または、野生動物１２０の侵入を防ぐために設置される。動物侵入防止装置１は、野生の動物が標的であり、具体的には、野生の動物における四足動物のうち、哺乳類である例えば、イノシシ、シカ、タヌキ、アライグマ、ハクビシン等が標的である。なお、本例の野生動物１２０とは、例えば、イノシシである。
【００１８】
［第１保持部材１０］
第１保持部材１０は、本発明に係る保持部の一例である。
図１に例示するように、第１保持部材１０は、例えば、既定の長さを備えた棒状であり、具体的には、パイプ部材、角材、または、丸太材である。なお、本例の第１保持部材１０は、パイプ部材である。第１保持部材１０は、網材３０と、動物侵入防止装置１を設置する設置面（以下設置面）とのあいだに設置される。第１保持部材１０は、網材３０を設置面から既定の高さとなる位置で離間させた状態で、網材３０を保持する。
ここで、既定の高さとは、設置面が地面と同じ位置である場合、設置面からの距離が５０ｃｍ以下の位置である。また、網材３０と設置面との離間距離は、野生動物１２０の脚の長さに合わせて適宜設定することが望ましい。本例の第１保持部材１０は、パイプの外径により、網材３０と設置面との離間距離を決定している。また、網材３０と設置面との離間距離を例えば、１ｃｍ以上離間させることにより、網材３０に足を踏み入れた野生動物に対して、警戒させることが期待できる。とくにシカやイノシシに対して効果的である。
また、第１保持部材１０は、網材３０の周縁部分に設けられている。第１保持部材１０は、網材３０の周縁部分である四辺それぞれの位置に配置されてもよいし、網材３０の四隅それぞれの位置に配置してもよい。第１保持部材１０は、四辺それぞれの位置に配置される場合、枠状にして配置されてもよい。
本例での第１保持部材１０は、網材３０の周縁部分のうち、互いに対向する位置にそれぞれ配置する。対向する位置にある各第１保持部材１０は、網材３０を張った状態を維持できる位置に互いに離間してそれぞれ配置され、網材３０を張った状態で保持する。
【００１９】
［第２保持部材１２］
第２保持部材１２は、本発明に係る保持部の一例である。
図１に例示するように、第２保持部材１２は、例えば、既定の長さを備えた棒状であり、具体的には、パイプ部材、角材、または、丸太材である。なお、本例の第２保持部材１２は、パイプ部材である。
第２保持部材１２は、第１保持部材１０と同様に、網材３０を設置面から既定の高さとなる位置で離間させた状態で、網材３０を保持する。具体的には、第２保持部材１２は、対向する位置にある第１保持部材１０のあいだに設けられ、網材３０を設置面から離間した位置で保持している。第２保持部材１２は、網材３０の中央部分を設置面から離間した位置で保持する。これにより、第２保持部材１２は、網材３０の中央部分の撓みを防止する。本例の第２保持部材１２は、パイプの外径により、網材３０と設置面との離間距離を決定している。なお、第２保持部材１２は、網材３０の撓み状態に合わせて、第２保持部材１２における高さ(外径)と、第１保持部材１０における高さ（外径）とを異なる高さとしてもよい。また、第２保持部材１２は、網材３０のサイズが小さく中央領域が撓まない場合に省くこともできる。
【００２０】
（貫通孔１５）
貫通孔１５は、第１保持部材１０、及び、第２保持部材１２に設けられ、第１保持部材１０、及び、第２保持部材１２の軸方向と交差する方向に穿設された孔である。貫通孔１５の口径は、固定杭２０を挿通できる大きさである。また、貫通孔１５は、網材３０と、第１保持部材１０、及び、第２保持部材１２とを固定するためであれば、いくつ設けてもよい。
【００２１】
［固定杭２０］
図１に例示するように、固定杭２０は、網材３０、第１保持部材１０、及び、第２保持部材１２を設置面に固定するための棒体である。固定杭２０は、一方が尖った形状であり、他方が網材３０を固定する形状に形成されている。網材３０を固定する形状とは、例えば、リング状、フック状、又は、折れ曲がり形状（Ｕ字型、Ｊ字型、Ｌ字型）等である。また、固定杭２０は、網材３０と、網材３０を固定する形状部分とを結束具等を用いて接続してもよい。
また、固定杭２０は、第１保持部材１０、及び、第２保持部材１２の側壁に設けられた貫通孔１５に挿通できる太さに形成されている。また、固定杭２０は、網材３０を固定する部分が貫通孔１５の孔径より大きく形成されている。これにより、固定杭２０は、第１保持部材１０、及び、第２保持部材１２を貫通しない。
また、固定杭２０は、網材３０と、第１保持部材１０と、第２保持部材１２とを設置面に固定する。固定杭２０は、第１保持部材１０と、第２保持部材１２とに設けられた各貫通孔１５にそれぞれ挿通し、網材３０を外れないように固定した状態で、設置面に打ち込まれる。これにより、固定杭２０は、第１保持部材１０と、第２保持部材１２と、網材３０とを設置面に固定する。このとき網材３０が撓まないように固定杭２０を設置面に打ち込むことが望ましい。
【００２２】
図２は、本実施例に係る網材３０の網目形状を説明する図である。
図２（Ａ）は、網材３０の平面を例示する図であり、図２（Ｂ）は網材３０におけるＡ部を例示する拡大図である。
［網材３０］
網材３０は、本発明に係るシート部の一例である。
図１に例示するように、網材３０は、メッシュ状に形成されているシート材である。網材３０は、円形状若しくは多角形状の穴（目）を備えたシート材、または、多角形状の網目を備えた網材である。円形状とは、例えば、円形状、及び、楕円状を含む。また、多角形状とは、三角形状、四角形状（格子状）、ひし形形状、及び、六角形状（ハニカム状または亀甲状）等を含む。なお、本例の網材３０の網目は、多角形状の網目のうち、六角形状の網目である。
図２（Ａ）に例示するように、網材３０は、六角形状の網目を備えたワイヤーメッシュ材である。また、網材３０は、少なくとも一部の網目の大きさが野生動物１２０の脚が入り込み、かつ、胴体部が通らない大きさに形成されている。本例の網材３０は、シート全体に網目が形成されている。なお、図２（Ｂ）に例示するように、網材３０の網目の大きさ（Ｄ寸法）は、３ｃｍ以上の大きさであり、好ましくは、Ｄ寸法が７ｃｍ〜１８ｃｍの大きさである。なお、本例の網材３０の網目のＤ寸法は、１０ｃｍ、又は、１５ｃｍの大きさである。また、網材３０の網目形状が四角形状である場合、網目の寸法は、１０ｃｍ×１０ｃｍ、又は、１５ｃｍ×１５ｃｍの大きさである。
また、網材３０は、金属、又は、合成樹脂で形成された網材である。網材３０は、合成樹脂で形成される場合、金属製に比べて重量も軽く、丸めて人力で持ち運ぶこともでき、リサイクル性にも優れている。また、網材３０は、合成樹脂で形成されることにより、耐食性に優れる。また、網材３０は、金属で形成される場合、安価に入手することができる。また、網材３０は、耐食性のある金属を用いることにより、長期間使用することができる。なお、本例の網材３０は、合成樹脂で形成された網材である。
【００２３】
図３は、その他の網材３０の網目形状を例示する図である。
図３（Ａ）は、四角形状の網目を備えた網材を例示する図であり、図３（Ｂ）は、ひし形形状の網目を備えた材を例示する図である。また、図３（Ｃ）は、円形の孔あき鋼板を例示する図である。
図３に例示するように、網材３０は、六角形状の網目だけでなく適宜に形状を選択することができる。網材３０は、図３（Ａ）に例示するような、四角形状の網目を備えたワイヤーメッシュ材（網材）であってもよいし、図３（Ｂ）に例示するような、ひし形形状の網目を備えた網材であってもよい。なお、一般的な四角形状、及び、ひし形形状の網目を備えた網材において、例えば１回程度、網目形状の頂点部分で織られて形成されている。また、図３（Ｂ）に例示する網目を備えた網材は、エキスパンドメタル材であってもよい。
また、網材３０は、図３（Ｃ）に例示するような、円形状の穴を備えたシート材であるパンチングメタル材であってもよい。また、網材３０は、可撓性を備えた穴なしシート材（板材）であってもよい。網材３０は、板材である場合、野生動物１２０が体重を加えることにより変形する可撓性を備える。板材は、歩行しにくい程度に変形するものがよい。野生動物１２０は、板材に体重を加えることによって変形するため、足元が不安定になる。これにより、体重を加えた野生動物に対して不安感を与えることが期待できる。網材３０は、板材として、例えばトタン板である場合に、可撓性を備えると共に、撓みによる音の発生が期待できる。これにより、音による忌避効果が期待できる。
【００２４】
次に、本実施例の動物侵入防止装置１の設置方法を説明する。
図４は、本実施例に係る動物侵入防止装置１の設置方法を説明する図である。
図４（Ａ）に例示するように、まず、設置者は、設置面に第１保持部材１０及び第２保持部材１２を配置する。設置者は、設置面と網材３０との離間距離に合わせた寸法（５０ｃｍ以下）となるよう、離間距離に合う外径寸法である第１保持部材１０及び第２保持部材１２を選択し、設置面に配置する。
設置者は、第１保持部材１０及び第２保持部材１２を丸太として用いる場合、野生動物１２０に発見されにくくすることが期待できる。また、設置者は、動物侵入防止装置１の設置場所が木々のしげる設置場所である場合、第１保持部材１０及び第２保持部材１２を、設置場所の付近にて調達することもできる。
【００２５】
図４（Ｂ）に例示するように、次に、設置者は、配置された第１保持部材１０及び第２保持部材１２の上に、網材３０を配置する。設置者は、網材３０を広げた状態で配置する。
【００２６】
図４（Ｃ）に例示するように、次に、設置者は、固定杭２０を用いて、第１保持部材１０、第２保持部材１２、及び、網材３０を設置面に固定する。設置者は、網材３０の張り具合を調節しながら、固定杭２０を用いて、第１保持部材１０及び第２保持部材１２と共に設置面に固定する。設置者は、網材３０を撓まないよう張った状態で固定する。
また、設置者は、設置時において、網材３０を撓まないよう張った状態で固定するが、野生動物１２０が網材３０に体重をかけた時に、網材３０が伸びることを考慮して固定する。これにより、網材３０に体重をかけた野生動物１２０は、張った状態であった網材３０が伸びて撓むことにより、足元が不安定になる。また、設置者は、網材３０の伸び代を考慮して固定することにより、網材３０に掛かった野生動物１２０が暴れた場合であっても、動物侵入防止装置１の破壊を防止することが期待できる。
このように、設置者は、動物侵入防止装置１を設置する。また、設置者は、草等の生い茂る領域に、動物侵入防止装置１を設置することが好ましい。これにより、設置者は、動物侵入防止装置１を野生動物１２０に発見されにくくすることができる。
【００２７】
次に、本実施例の動物侵入防止装置１の作用効果を説明する。
図５は、本実施例に係る動物侵入防止装置１における野生動物１２０の侵入時における作用を説明する図である。
図５（Ａ）および図５（Ｂ）は、野生動物１２０が動物侵入防止装置１に脚を掛ける動作を例示する図であり、図５（Ｃ）および図５（Ｄ）は、図５（Ｂ）におけるＢ部を示す図であり、網材３０の配置する高さの違いを例示している。
まず、図５（Ａ）に例示するように、野生動物１２０は、設置者により設置された動物侵入防止装置１に侵入する。設置された動物侵入防止装置１は、第１保持部材１０、及び、第２保持部材１２の外径寸法を野生動物１２０の脚の長さに合わせて選択されたものであり、野生動物１２０の脚の長さに合わせた高さに網材３０を張った状態で配置されている。ここで、本例の野生動物１２０とは、例えばイノシシである。
【００２８】
次に、図５（Ｂ）に例示するように、野生動物１２０は、第１保持部材１０を乗り越え、既定の高さに固定された網材３０の網目に前足を掛ける。このとき、図５（Ｃ）に例示するように、動物侵入防止装置１は、野生動物１２０の（膝および踵までを含む）脚が入り込む高さ位置に網材３０が配置されている。野生動物１２０は、網材３０の網目に（膝および踵までを含む）脚が入り込む。また、図５（Ｄ）に例示するように、動物侵入防止装置１は、野生動物１２０の（踵までを含む）脚が入り込む高さ位置に網材３０が配置されている。野生動物１２０は、網材３０の網目に（踵までを含む）脚が入り込む。
このように、網材３０の網目に脚が入り込んだ野生動物１２０は、後退することができず、網材３０から前脚を引き抜くことができない。また、野生動物１２０の脚が、網材３０の網目から脚が抜けた場合であっても、設置者は、野生動物１２０に対して、動物侵入防止装置１を配置された領域が危険であることを植え付けることが期待できる。これにより、再び動物侵入防止装置１を配置された領域に侵入することを防止することが期待できる。
【００２９】
以上説明したように、本実施形態に係る動物侵入防止装置１は、可撓性を備えた網材３０と、網材３０を設置面から５０ｃｍ以下の位置で離間させて保持する第１保持部材１０及び第２保持部材１２を含む構成により、網材３０を野生動物１２０の大きさに合わせて配置することができる。また、動物侵入防止装置１は、この装置内に侵入した野生動物１２０の体重により網材３０が変形するため、野生動物１２０の足元を不安定にすることができる。これにより、動物侵入防止装置１は、野生動物１２０に対して不安感を与えることで、野生動物１２０が危険を察知して近づかなくなる、又、野生動物１２０が嫌がることで近寄らなくなること（忌避効果）が期待できる。
また、動物侵入防止装置１は、第１保持部材１０を伐採された木から切り出した丸太材等を利用することにより、安価に配置することができる。
また、動物侵入防止装置１は、第１保持部材１０及び第２保持部材１２を中空状であるパイプ材で構成することにより、中実状の棒体に比べて弾力性を備え、網材３０と共に振動しやすい状態で配置することができる。
【００３０】
また、動物侵入防止装置１は、一部の網目の大きさが野生動物１２０の脚が入り込む大きさに形成されている網材３０の周縁領域のうち、対向する位置に第１保持部材１０がそれぞれ設けられ、網材３０を張った状態で保持している。動物侵入防止装置１は、張った状態で網材３０を保持することにより、野生動物１２０が侵入したとき、または、網目に脚が掛かったときであっても、網材３０の網目が撓まないようにする。これにより野生動物１２０の侵入を防止する。
【００３１】
また、動物侵入防止装置１は、第２保持部材１２を、網材３０の中央領域を設置面から離間した位置で保持することにより、広い範囲に配置したときにおける網材３０の撓み防止することができる。また、網材３０は、多角形状のうち六角形状の網目である場合、四角形状またはひし形形状の網目に比べて、網目の辺部分における捩り回数が多いため、網材３０が破断してもほどけにくい。また、網材３０は、多角形状のうち四角形状またはひし形形状の網目である場合、手軽に入手することができ、安価である。
【００３２】
また、動物侵入防止装置１は、電気柵に比べて、メンテナンス費を抑えることができる。また、動物侵入防止装置１は、電気柵のように電流を流すものでないため、専門的な知識がない設置者でも簡単に設置することができる。また、動物侵入防止装置１は、電気柵のように設備不良による漏電等を心配する必要もない。
以上、本発明に係る実施形態について説明したが、これらに限定されるものではなく、発明の趣旨を逸脱しない範囲内において、種々の変更、追加等が可能である。
【００３３】
次に、上記実施例に係る変形例１〜４を説明する。
なお、変形例１〜４では、上記実施例と実質的に同一の機能、構成を有する要素については、同一の符号を付することにより重複説明を省略する。
［変形例１］
図６は、本実施例に係る動物侵入防止装置１の変形例１を説明する図である。
図７は、変形例１における網材３０の網目方向を変更した動物侵入防止装置１を説明する図である。
図６及び図７に例示するように、本変形例に係る動物侵入防止装置１は、線路脇に設置されている。動物侵入防止装置１は、線路脇に設置されることにより、野生動物１２０が線路内に侵入することを防止する。
図６（Ａ）に例示するように、動物侵入防止装置１は、周囲の地面より低い位置にある設置面に設置されている。これにより、動物侵入防止装置１は、網材３０の取り付けられた位置と周囲の地面とが略同じ位置となるため、沿線の景観を害することなく設置することができる。
また、第１保持部材１０と第２保持部材１２とは、網材３０と設置面との離間距離が部分的に変化するよう構成してもよい。具体的には、網材３０と設置面との離間距離が部分的に野生動物１２０の脚の長さより長くなるように、網材３０を保持してもよい。これにより、網材３０に脚を掛けた野生動物１２０は、掛けた脚が設置面に着くことなくぶら下がった状態となるため、簡単に網材３０から脚を抜くことが困難となる。
また、図６（Ｂ）に例示するように、動物侵入防止装置１は、対向する位置にある第１保持部材１０の配置する高さ、または、第１保持部材１０の形状を変えることにより、傾いた設置面であっても設置することができる。
【００３４】
また、図７に例示するように、動物侵入防止装置１は、網材３０の中央領域に、網材３０を設置面から離間させて保持する第２保持部材１２を配置し、網材３０における一方の端部を設置面に配置し、他方の端部を設置面に対して傾斜する斜面に配置されている。よって網材３０は、設置面に対して傾きた状態で配置される。また、網材３０は、固定杭２０により、撓ませた状態で、第２保持部材１２と共に設置面に固定されている。
また、動物侵入防止装置１は、網材３０のねじり部分の軸方向と、野生動物１２０の侵入方向とが同じ方向となるよう網材３０を配置している。また、動物侵入防止装置１は、網材３０のねじり部分の軸方向にレールが位置するよう、網材３０を配置している。
網材３０は、六角形状の網目における互いに対向する位置にねじり部分がそれぞれ配置されている。そのため、網材３０は、製造時における網材３０の流れ方向と直交する方向、又は、ねじり部分の軸方向と直交する方向(横目方向)において、ねじり部分を回転させ丸めることができる。また、網材３０は、製造時における網材３０の流れ方向、又は、ねじり部分の軸方向(縦目方向)において、ねじり部分が撓み防止となるため、変形（たわみ等）しても元の状態に復元する。
網材３０は、配置された第２保持部材１２の上に設置され、網材３０の縦目方向における一方の端部を設置面に、他方の端部を斜面に接触させて設置される。また、網材３０は、網材３０における横目方向と、第２保持部材１２の軸方向とが同じ方向となるよう配置されている。言い換えると、網材３０における縦目方向と、第２保持部材１２の軸方向とが交差する（直交する）方向に配置されている。網材３０は、縦目方向において、撓みに対する復元力（弾力）があるため、反る状態で固定される。
このように、動物侵入防止装置１は、網材３０の網目方向を考慮し、設置面における傾斜を利用して網材３０を配置することにより、網材３０を支持する第１保持部材１０、第２保持部材１２、及び、固定杭２０の部材数を減らすことができる。
【００３５】
図７に例示する動物侵入防止装置１の施工方法を説明する。
まず、設置者は、網材３０と第２保持部材１２とを設置面に配置する。設置者は、第２保持部材１２を設置面に配置し、配置した第２保持部材１２の上に網材３０を配置する。このとき、設置者は、網材３０における横目方向と、棒状の第２保持部材１２の軸方向とが同じ方向となるように配置し、かつ、網材３０の中央領域に第２保持部材１２が位置するように配置する。設置者は、網材３０の縦目方向における一方の端部を設置面に配置し、他方の端部を設置面に対して傾斜する面に配置する。つまり設置者は、斜面に対して縦目方向を向けた状態の網材３０を斜面に立てかける。
次に、設置者は、第２保持部材１２に保持された網材３０を撓ませた状態で、網材３０と第２保持部材１２とを設置面に固定する。設置者は、第２保持部材１２に設けられ貫通孔１５に固定杭２０を挿通し、網材３０と第２保持部材１２とを固定する。
このように、設置者は、動物侵入防止装置１を施工する。
【００３６】
［変形例２］
図８は、本実施例に係る動物侵入防止装置１の変形例２を説明する図である。
図８（Ａ）は、動物侵入防止装置１の正面を例示する図であり、図８（Ｂ）は、動物侵入防止装置１の側面を例示する図である。また、図８（Ｃ）は、動物侵入防止装置１の作用を説明する図である。
図８（Ａ）及び図８（Ｂ）に例示するように、動物侵入防止装置１は、動物侵入防止装置１は、網材３０の少なくとも一部の周縁部分に連続して設けられた網材周縁部３０ａを備えている。本変形例の網材周縁部３０ａは、網材３０の外側である周縁全体に配置されている。網材周縁部３０ａは、第１保持部材１０に保持された網材３０から連続して設置面に敷設されている。
網材３０は、設置面に網材周縁部３０ａを配置し、固定杭２０により固定されている。固定杭２０は、網材周縁部３０ａの端部に既定の間隔をあけて複数配置される。また、固定杭２０は、設置面に打ち込まれる部分が２つ叉に分かれた形状である例えば、Ｕ字状、または、コの字状である場合、連続して複数配置してもよい。また、固定杭２０は、櫛状（杭となり設置面に打ち込まれる部分が３つ叉以上に分かれた形状）であってもよい。
網材周縁部３０ａの幅寸法（Ｙ寸法）は、例えば、２５ｃｍ以上であり、好ましくは４５ｃｍ〜５０ｃｍである。また、網材周縁部３０ａにおける設置面と接触する幅寸法（Ｚ寸法）は、例えば、２５ｃｍ〜４０ｃｍである。
図８（Ｃ）に例示するように、野生動物１２０は、設置面に固定された第１保持部材１０と第２保持部材１２とを取り外すために、例えば、設置面の掘削、または、第１保持部材１０の取外しを行う。しかし、野生動物１２０は、第１保持部材１０の近傍に網材周縁部３０ａが設置面に固定されているため、第１保持部材１０を取り外すことができない。
このように、変形例２における動物侵入防止装置１は、網材周縁部３０ａを配置することにより、正面方向において、野生動物１２０によって第１保持部材１０と第２保持部材１２とが設置面から外されることを防止することができる。また、動物侵入防止装置１は、網材周縁部３０ａを配置することにより、側面方向において、野生動物１２０が網材３０と設置面との間の潜り抜けることを防止する。
【００３７】
［変形例３］
図９は、本実施例に係る動物侵入防止装置１の変形例３を説明する図である。
図９に例示するように、動物侵入防止装置１は、設置面に対して傾けた網材３０を備え、網材３０は、一方の端部を設置面に固定され、他方の端部を第１保持部材１０に固定されている。網材３０は、一方の端部を設置面に固定され、他方の端部を第１保持部材１０に固定されているため、設置面に対して傾斜して配置されている。動物侵入防止装置１は、網材３０と設置面との離間距離を変化させることにより、網材３０に侵入した野生動物の足元を不安定にさせることができるため、野生動物の忌避効果が期待できる。
また、第１保持部材１０に固定された網材３０端部と設置面との距離（Ｈ寸法）は、例えば１０ｃｍ以上５０ｃｍ以下の位置で離間して固定される。また、網材３０における第１保持部材１０に固定された固定端から設置面に固定された固定端までの距離（Ｌ寸法）は、例えば３０ｃｍ以上４ｍ以下である。網材３０は、Ｌ寸法の長さを調節することにより、網材３０の傾斜角度を調節することができる。
このように、変形例３における動物侵入防止装置１は、網材３０を設置面に対して傾斜させて配置することにより、部品数を抑えて構成できるため費用を抑えることができる。また、部品数を抑えた構成により設置者が施工しやすい。
また、動物侵入防止装置１は、網材３０の一方を設置面に固定し、他方を第１保持部材１０に固定することにより、網材３０を設置面から第１保持部材１０の方向に徐々に設置面から離間するよう傾斜して配置する。これにより、動物侵入防止装置１は、侵入した野生動物１２０の足元を、傾斜した網材３０で不安定（網材３０の振動、または、網材３０の網目による足場の減少）にすることで、忌避効果が期待できる。
【００３８】
［変形例４］
図１０は、本実施例に係る動物侵入防止装置１の変形例４を説明する図である。
図１０（Ａ）に例示するように、変形例４の動物侵入防止装置１は、直径寸法の異なる２つの第１支持部材１０、網材３０、固定杭２０、及び、間隔材４０を含み構成されている。動物侵入防止装置１は、２つの第１支持部材１０、網材３０、固定杭２０、及び、間隔材４０を含む動物侵入防止セットとし販売することができる。
（第１支持部材１０）
動物侵入防止装置１は、直径が異なる２つの第１支持部材１０を用いて、直径の違いにより網材３０を設置面に対して傾斜させて配置している。第１支持部材１０は、例えば、基本外径寸法が１６５ｍｍ以下のパイプ材を選択でき、本変形例４では、基本外径寸法が１６５ｍｍ（第１支持部材１０ａ）と、基本外径寸法が６０ｍｍ（第１支持部材１０ｂ）とである。また、第１支持部材１０の長さは、網材３０の幅寸法に合わせた長さであり、長さ寸法が１ｍ〜３ｍである。また、第１支持部材１０は、固定杭２０を購入するための貫通孔１５が設けられている。
（網材３０）
また、動物侵入防止装置１は、網材３０のねじり部分の軸方向と直交する方向（横目方向）と、野生動物１２０の侵入方向とが同じ方向となるよう、網材３０を配置している。網材３０は、網材３０における縦目方向と、第１保持部材１０の軸方向とが同じ方向に配置されている。言い換えると、網材３０における横目方向と、第２保持部材１２の軸方向とが交差する（直交する）よう配置されている。
なお、変形例４における網材３０の配置する方向は、実施例１と同様の配置方向である。また、網材３０は、幅寸法が２ｍ〜３ｍであり、長さ寸法が２ｍ〜４ｍである。
（間隔材４０）
また、動物侵入防止装置１は、対向する位置に配置された２つの第１支持部材１０の間に、間隔材４０が配置されている。間隔材４０は、網材３０が変形し撓んだ場合であっても、第１支持部材１０が移動しないよう、第１支持部材１０同士の間隔を維持するために配置されている。間隔材４０は、例えば、角材、棒材、パイプ材であってもよい。
また、図１０（Ｂ）に例示するように、動物侵入防止装置１は、網材３０の横目方向に丸めることができるため、第１支持部材１０に網材３０を巻きつけることで、容易に収納することができる。
このように、変形例４の動物侵入防止装置１は、２つの第１支持部材１０、網材３０、固定杭２０、及び、間隔材４０を含み構成されている。
【００３９】
以上説明したように、変形例４の動物侵入防止装置１は、対向する位置にある第１支持部材１０の直径寸法を互いに変えることにより、網材３０を傾斜させて配置することができる。  
また、動物侵入防止装置１は、網材３０における縦目方向と、第１保持部材１０の軸方向とが同じ方向に配置することにより、ねじり部分で回転しやすい状態となるため、固定した網材３０であっても揺れやすい状態とすることができる。
また、動物侵入防止装置１は、網材３０における縦目方向と、第１保持部材１０の軸方向とが同じ方向であることにより、網材３０のねじり部分で折り畳むことができ、２つの第１支持部材１０とともにコンパクトに収納できる。また、第１支持部材１０は、例えば、合成樹脂であるポリエチレンパイプであれば、弾力性を備え、網材３０と共に容易に持ち運ぶことができる。
【符号の説明】
【００４０】
１        動物侵入防止装置
１０      第１保持部材
１２      第２保持部材
１５      貫通孔
２０      固定杭
３０      網材
３０ａ    網材周縁部
４０      間隔材
【図１】
0006547174.tif 000002
【図２】
0006547174.tif 000003
【図３】
0006547174.tif 000004
【図４】
0006547174.tif 000005
【図５】
0006547174.tif 000006
【図６】
0006547174.tif 000007
【図７】
0006547174.tif 000008
【図８】
0006547174.tif 000009
【図９】
0006547174.tif 000010
【図１０】
0006547174.tif 000011